(57)【要約】【課題】育苗時の農薬や水の使用量を削減してできるだけ低コストで安心・安全なイチゴを収穫するためのイチゴ苗の生育方法を提供すること。【解決手段】イチゴ苗の生育方法は、親株から苗を切り離して採苗する方式であって、植付工程と、親株から複数の子株を着生させる増殖工程と、複数の茎が生えた子株をランナーから切り離す採苗工程と、茎除去工程と、子株１５Ａから伸びる複数の茎１７に配された葉１８を取り除く葉除去工程と、挿し木工程と、を備える。【選択図】図４
2020018265.tif 000002
【特許請求の範囲】
【請求項１】
親株からランナーを発生させて複数の子株を着生させる増殖工程と、
複数の茎が生えた前記子株を前記ランナーから切り離す採苗工程と、
前記子株から伸びる複数の前記茎に配された葉を取り除く葉除去工程と、
を備えるイチゴ苗の生育方法。
【請求項２】
前記茎が４本以上の場合、前記茎を２本又は３本に減らす茎除去工程を備える請求項１に記載のイチゴ苗の生育方法。
【請求項３】
前記茎除去工程にて、前記茎のうち、少なくとも相対的に古い茎を取り除く請求項２に記載のイチゴ苗の生育方法。
【発明の詳細な説明】
【技術分野】
【０００１】
本発明は、イチゴ苗の生育方法に関する。
【背景技術】
【０００２】
一般に、一季成り性品種のイチゴ栽培は、まずは親株を定植し、ランナー（子株）が発生するとこれを採苗し、仮植床に移植して育苗した後に花芽分化させ、本圃に定植して果実を実らせている。
【０００３】
ランナーを採苗する方法は、親株から苗を切り離さないで採苗する方式と、親株から苗を切り離して採苗する方式の大きく２通りに分けられる。親株から苗を切り離さない場合には、苗を地面やポットで受けて育苗させる。親株から切り離す場合には、ポット等に挿し木して育苗させる（例えば、特許文献１参照。）。
【先行技術文献】
【特許文献】
【０００４】
【特許文献１】特公平７−３６７３２号公報
【発明の概要】
【発明が解決しようとする課題】
【０００５】
しかしながら、親株を定植し、ランナー（子株）を増殖させて採苗し、仮植床に移植して育苗する間、上記従来の採苗方法の何れの場合にも炭疽病などの致命的な病気にかかるリスクや高温で苗が活着しないリスクがある。しかも、定植後もうどん粉病などの病気や害虫に悩まされることが多い。そこで病害虫駆除のために大量の農薬散布が行われる。また、特に夏の高温時には葉からの蒸散量を補うために大量の水を散布する必要がある。
【０００６】
一方、このような病害虫の被害や蒸散を避けるために国内では関東地域などの高温のイチゴ栽培地よりも比較的気温が低い北海道等の地域で育苗されることが多い。この場合、定植時には育苗場所から苗を本圃まで移送させる必要があり、輸送の手間やコストがかかる。
【０００７】
本発明は上記事情に鑑みて成されたものであり、育苗時の農薬や水の使用量を削減してできるだけ低コストで安心・安全なイチゴを収穫するためのイチゴ苗の生育方法を提供することを目的とする。
【課題を解決するための手段】
【０００８】
本発明は、上記課題を解決するため、以下の手段を採用する。
本発明に係るイチゴ苗の生育方法は、親株からランナーを発生させて複数の子株を着生させる増殖工程と、複数の茎が生えた前記子株を前記ランナーから切り離す採苗工程と、前記子株から伸びる複数の前記茎に配された葉を取り除く葉除去工程と、を備える。
【０００９】
また、本発明に係るイチゴ苗の生育方法は、前記茎が４本以上の場合、前記茎を２又は３本に減らす茎除去工程を備える。
【００１０】
また、本発明に係るイチゴ苗の生育方法は、前記茎除去工程にて、前記茎のうち、少なくとも相対的に古い茎を取り除く。
【発明の効果】
【００１１】
本発明によれば、育苗時の農薬や水の使用量を削減してできるだけ低コストで安心・安全なイチゴを収穫することができる。
【図面の簡単な説明】
【００１２】
【図１】本発明の一実施形態に係るイチゴ苗の生育方法の概要を示す図である。
【図２】本発明の一実施形態に係るイチゴ苗の生育方法における親床の概要図である。
【図３】本発明の一実施形態に係るイチゴ苗の生育方法における子株から茎の本数を削減する状態を示す図である。
【図４】本発明の一実施形態に係るイチゴ苗の生育方法における子株から葉を除去した状態を示す図である。
【発明を実施するための形態】
【００１３】
本発明に係る一実施形態について、図１から図４を参照して説明する。
本実施形態に係るイチゴ苗の生育方法は、親株から苗を切り離して採苗する方式であって、図１に示すように、植付工程（Ｓ０１）と、増殖工程（Ｓ０２）と、採苗工程（Ｓ０３）と、茎除去工程（Ｓ０４）と、葉除去工程（Ｓ０５）と、挿し木工程（Ｓ０６）と、を備える。
【００１４】
植付工程（Ｓ０１）では、公知の方法にてイチゴの親株１０を容器１１に配された培地１２に植える。この容器１１は親株１０から発生するランナー１３の下方への成長を促すために比較的高い位置に載置する。
【００１５】
増殖工程（Ｓ０２）では、図２に示すように、培地１２に植え付けられた親株１０から発生するランナー１３を容器１１の外方に突出させて下方に伸長させ、親株１０から複数の子株１５Ａ，１５Ｂ，１５Ｃを着生させる。
【００１６】
採苗工程（Ｓ０３）では、各子株１５Ａ，１５Ｂ，１５Ｃから突出する根の原基１６が数個程度、かつ、複数の茎１７が生えた若苗状態の子株１５Ａ，１５Ｂ，１５Ｃをランナー１３から切り離す。以降、代表して子株１５Ａについて説明するが、子株１５Ｂ，１５Ｃについても同様である。このとき、実のなる方向を識別するために親株１０側のランナー１３の一部を残しておいてもよい。
【００１７】
茎除去工程（Ｓ０４）では、図３に示すように、茎１７が４本以上の場合、子株１５Ａから突出する茎１７を２本又は３本に削減する。この際、複数の茎１７のうち外側の相対的に古い茎を取り除く。また、中央の最も新しい茎も可能な限り取り除く。なお、茎１７が２本又は３本の状態で採苗工程（Ｓ０３）を実施した場合には、本工程を省略しても構わない。
【００１８】
葉除去工程（Ｓ０５）では、図４に示すように、子株１５Ａから伸びる複数の茎１７に配された葉１８を取り除く。この際、出来るだけ茎１７の先端で葉１８を切り落とす。
【００１９】
挿し木工程（Ｓ０６）では、公知の方法によって子株１５Ａを不図示の人工培地上に挿し木する。その後、公知の方法により不図示の本圃へ定植する。
【００２０】
このイチゴ苗の生育方法によれば、葉除去工程（Ｓ０５）で出来るだけ茎１７の先端で葉１８を切り落すため、茎１７における光合成能力を維持させることができる。また、挿し木工程（Ｓ０６）において葉１８がないことから高温時でも葉１８からの蒸散をなくすことができ、散水量を減らせることから子株が萎れず活着しやすくなる。さらに、水の使用量を少なくすることにより炭疽病やうどん粉病の発生を少なくすることができる。そして、ランナー１３を介して親株１０と接続されているときに病原菌や害虫の卵、害虫等が葉１８に付着していたとしてもこれらを葉１８とともに子株１５Ａ，１５Ｂ，１５Ｃから切り離して駆除することができる。
【００２１】
そして、葉１８がない分、挿し木作業を速やかに行うことができ、他の挿し木による方法では使用できないようなランナー１３の先端側の極小苗の子株１５Ｃも使用することができる。また、採苗後の病害虫の少ない苗は、定植後の育苗時に農薬の使用量や回数を削減することができる。このように、ある程度高温でもイチゴ苗を生育させることができ、安心・安全なイチゴを実らせることができる。
【００２２】
なお、本発明の技術範囲は上記実施の形態に限定されるものではなく、本発明の趣旨を逸脱しない範囲において種々の変更を加えることが可能である。
例えば、親株１０として用いる苗は特に限定する必要がなく、ランナーの発生が旺盛で発生する子株数が多いメリクロン苗を用いることが省力化の点から好ましいが、他の一季成り性品種のイチゴ苗でも構わない。
【符号の説明】
【００２３】
１０  親株
１３  ランナー
１５Ａ，１５Ｂ，１５Ｃ  子株
１７  茎
１８  葉
【図１】
2020018265.tif 000003
【図２】
2020018265.tif 000004
【図３】
2020018265.tif 000005
【図４】
2020018265.tif 000006
【手続補正書】
【提出日】平成31年1月31日(2019.1.31)
【手続補正１】
【補正対象書類名】明細書
【補正対象項目名】０００８
【補正方法】変更
【補正の内容】
【０００８】
本発明は、上記課題を解決するため、以下の手段を採用する。
本発明に係るイチゴ苗の生育方法は、親株からランナーを発生させて複数の子株を着生させる増殖工程と、複数の茎が生えた前記子株を前記ランナーから切り離す採苗工程と、前記子株から伸びる複数の前記茎に配された葉をすべて取り除く葉除去工程と、を備える。
【手続補正２】
【補正対象書類名】明細書
【補正対象項目名】００１８
【補正方法】変更
【補正の内容】
【００１８】
葉除去工程（Ｓ０５）では、図４に示すように、子株１５Ａから伸びる複数の茎１７に配された葉１８をすべて取り除く。この際、出来るだけ茎１７の先端で葉１８を切り落とす。
【手続補正３】
【補正対象書類名】特許請求の範囲
【補正対象項目名】請求項１
【補正方法】変更
【補正の内容】
【請求項１】
親株からランナーを発生させて複数の子株を着生させる増殖工程と、
複数の茎が生えた前記子株を前記ランナーから切り離す採苗工程と、
前記子株から伸びる複数の前記茎に配された葉をすべて取り除く葉除去工程と、
を備えるイチゴ苗の生育方法。